(57)【要約】【課題】  転写後にすばやく残存フィルムや転写滓などを効率よく水槽外に排出して、被転写体の転写欠陥や水槽内の水質劣化を抑制する水圧転写方法及び水圧転写装置を提供すること。【解決手段】  フィルム上にインキ皮膜を有する転写フィルム３を水槽２の水面に浮かべた状態で、インキ皮膜が溶解可能な有機溶剤を吹きつけ、浴槽５を転写フィルム３に押しつけてインキ皮膜を浴槽５に転写させるようにした水圧転写方法において、浴槽５を転写フィルム３に押しつけた後に浴槽外転写滓付着ユニット２７及び浴槽内転写滓付着ユニットを水没させ、浴槽外転写滓付着ユニット２７及び浴槽内転写滓付着ユニットにインキ皮膜を浴槽５に転写させた後の転写滓や残滓などを付着させる。【選択図】  図１
2006123462.tif 000002
【特許請求の範囲】
【請求項１】
フィルム上に転写層を有する転写フィルムを水槽の水面に浮かべた状態で、前記転写層が溶解可能な有機溶剤を吹きつけ、被転写体を転写フィルムに押しつけて前記転写層を前記被転写体に転写させるようにした水圧転写方法において、
前記被転写体を前記転写フィルムに押しつけた後に付着部材を水没させ、該付着部材に転写層を前記被転写体に転写させた後の残存フィルムや残存転写層を付着させることを特徴とする水圧転写方法。
【請求項２】
水溶性または水膨潤性の樹脂からなるフィルム上に有機溶剤に溶解可能な疎水性の転写層を設けた転写フィルムを水槽の水面に浮かべた状態で、被転写体を前記転写フィルムに押しつけて前記転写層を前記被転写体に転写させる水圧転写装置において、
前記被転写体を押しつけた後に水没し、該被転写体が押しつけられることによって分断された前記転写フィルムを付着する付着部材を備えることを特徴とする水圧転写装置。
【請求項３】
前記付着部材が、前記被転写体の転写部位よりも水面から離間した位置の外側に設けられている請求項２に記載の水圧転写装置。
【請求項４】
前記被転写体が、その転写部位が開口近傍である箱形状を有しており、
前記付着部材が、前記被転写体の転写部位よりも水面から離間した位置の内側に設けられている請求項２または３に記載の水圧転写装置。
【発明の詳細な説明】
【技術分野】
【０００１】
本発明は、各種物品からなる被転写体の水圧転写方法及び水圧転写装置に関する。
【背景技術】
【０００２】
水圧転写装置は、曲面などの３次元形状面を表面に有する被転写体を、転写フィルムを水面上に浮かべた水槽内に浸水あるいは水没させ、転写フィルムを被転写体の転写部位に水圧によって付着させて転写する装置である。
ここで、転写フィルムは、水溶性あるいは水膨張性の樹脂からなる支持体フィルムと、その支持体フィルム上に形成された有機溶剤に溶解可能な疎水性物質からなる転写層とを有している。支持体フィルムとしては、例えばＰＶＡ（ポリビニルアルコール）などがある。また、転写層としては、例えば印刷インキ皮膜または塗装皮膜などがある。
【０００３】
また、転写フィルムにおいて、その転写層が、活性エネルギー線照射あるいは加熱の少なくとも一種硬化可能な硬化性樹脂層を有する転写フィルムがあり、その転写フィルムについては、特にトップコート付転写フィルムと呼んでいる。ここで、硬化性樹脂層としては、例えば下記の（１）〜（６）が挙げられる。
（１）活性エネルギー線硬化性樹脂を含む硬化性樹脂層。
（２）活性エネルギー線硬化性樹脂と非重合性の熱可塑性樹脂とを含む硬化性樹脂層。
（３）熱硬化性樹脂を含む硬化性樹脂層。
（４）熱硬化性樹脂と非重合性の熱可塑性樹脂とを含む熱硬化性樹脂層。
（５）活性エネルギー線硬化性樹脂と熱硬化性樹脂とを含む硬化性樹脂層。
（６）活性エネルギー線硬化性樹脂、熱硬化性樹脂及び非重合性の熱可塑性樹脂を含む硬化性樹脂層。
【０００４】
この水圧転写装置を用いて、転写層が転写される物品である被転写体に転写フィルムを付着させて転写する場合、転写フィルムの転写層を転写させる転写部位を含む部分を水槽内の水中に水没させると、その転写部位に転写フィルムが付着されると共に、転写フィルムの一部が転写部位に付着されずに水槽内に浮遊あるいは沈降して残存フィルムとして残存する。この残存フィルムは、転写部位に転写フィルムを付着させた後、水槽から除去される。
【０００５】
従来の物品の水圧転写方法としては、例えば、水槽と接続して副槽を設け、水槽と副槽との間に高さの低い仕切り板を配置し、副槽から水槽へ給水パイプを接続し、その中間にポンプを設けた水圧転写装置において、副槽の水をポンプによって水槽へ供給すると、水槽の水が溢れて仕切り板を越えて副槽へ水が流れ込むと共に水面に浮遊する残存フィルムが流れ込んで、その残存フィルムが副槽に集められるという方法がある（例えば、特許文献１参照）。
【特許文献１】特開平４−４３１００号公報
【発明の開示】
【発明が解決しようとする課題】
【０００６】
しかしながら、上記従来の水圧転写方法及び水圧転写装置においては、以下の問題がある。すなわち、上記従来の水圧転写装置では、水槽内に残存する残存フィルムや残存転写層が被転写体の転写部位に転写フィルムが付着した直後では水槽内に浮遊しているが、時間が経過すると共に膨潤して水槽内に沈降する。このことは、トップコート付転写フィルムにおいて顕著である。このトップコート付転写フィルムは、硬化性樹脂層が含まれていることで硬化性樹脂層が含まれていない転写フィルムと比較して２〜２０倍程度の膜厚を有しており、かつ被転写体に転写される際に多量の有機溶剤を必要とするため、この転写後にその一部が残存して残存フィルムや残存転写層として水槽内を汚染しやすくなるという問題がある。
【０００７】
また、被転写体への転写後に、残存フィルムや残存転写層を水槽内に存在させたまま水没させた被転写体を水中から引き上げると、引き上げ時に生ずる水流によって、水上に浮遊していた残存フィルムの一部を水中に巻き込んだり、被転写体の表面に付着して転写欠陥を生じたり、多方向へ拡散したりするという問題がある。さらに、水槽内に沈降した残存フィルムや残存転写層を除去せずに放置しておくと、時間が経過すると共に水槽内で再び浮上する。ここで、被転写体に転写フィルムを付着させて転写する工程を連続して行う場合、残存転写層の有機溶剤が含まれていることにより、新たに水没される被転写体の転写部位に残存フィルムや残存転写層が付着するため、被転写体への転写に欠陥が生じるという問題がある。そして、残存フィルムや残存転写層が沈降することで水槽内のＰＶＡの濃度が高くなり、水質が劣化するという問題がある。
【０００８】
本発明は、前述の課題に鑑みてなされたもので、転写後にすばやく残存フィルムや転写滓などを効率よく水槽外に排出して、被転写体の転写欠陥や水槽内の水質劣化を抑制する水圧転写方法及び水圧転写装置を提供することを目的とする。
【課題を解決するための手段】
【０００９】
本発明は、前記課題を解決するために以下の構成を採用した。すなわち、本発明の水圧転写方法は、フィルム上に転写層を有する転写フィルムを水槽の水面に浮かべた状態で、前記転写層が溶解可能な有機溶剤を吹きつけ、被転写体を転写フィルムに押しつけて前記転写層を前記被転写体に転写させるようにした水圧転写方法において、前記被転写体を前記転写フィルムに押しつけた後に付着部材を水没させ、該付着部材に転写層を前記被転写体に転写させた後の残存フィルムや残存転写層を付着させることを特徴とする。
【００１０】
また、本発明の水圧転写装置は、水溶性または水膨潤性の樹脂からなるフィルム上に有機溶剤に溶解可能な疎水性の転写層を設けた転写フィルムを水槽の水面に浮かべた状態で、被転写体を前記転写フィルムに押しつけて前記転写層を前記被転写体に転写させる水圧転写装置において、前記被転写体を押しつけた後に水没し、該被転写体が押しつけられることによって分断された前記転写フィルムを付着する付着部材を備えることを特徴とする。
【００１１】
この発明によれば、転写層に被転写体を押しつけることによって転写層が分断されて被転写体の転写領域に転写層が付着すると共に、転写領域に付着しなかった転写層が付着部材に転写させる。このようにして被転写体への転写後と共に残存転写層や残存フィルムを付着部材に付着させて回収することで、転写後に水槽内に存在する残存転写層や残存フィルムが容易に低減する。したがって、時間経過による残存転写層や残存フィルムの沈降や浮上を抑制し、水槽内の水質劣化や被転写体への転写欠陥などを発生しにくくする。ここで、例えば被転写体が浴槽であってこの浴槽の開口部近傍のみに転写フィルムを転写させるときのように、被転写体の大きさに対して転写部位が小さい場合には、転写後に転写されない大部分の転写フィルムが発生することになるが、被転写体を押しつけた後に付着部材を水没させることで、転写されない転写フィルムが付着部材に転写される。これにより、転写フィルムの非転写領域が転写領域と比較して大きい場合であっても、容易に残存転写層や残存フィルムを回収することができる。
【発明の効果】
【００１２】
本発明の水圧転写方法及び水圧転写装置によれば、被転写体を押しつけた後に付着部材を水没させることで、転写とほぼ同時に転写フィルムの非転写領域を付着部材に転写させるので、転写フィルムの非転写領域が転写領域に比べて大きい場合であっても、転写後の残存転写層や残存フィルムを容易に回収することができる。したがって、被転写体への転写欠陥や水槽内の水質汚染を抑制することができる。
【発明を実施するための最良の形態】
【００１３】
また、本発明の水圧転写装置は、前記付着部材が、前記被転写体の転写部位よりも水面から離間した位置の外側に設けられていることが好ましい。
この発明によれば、被転写体を押しつけることによって分断された転写フィルムを付着部材に付着させて回収する。
【００１４】
また、本発明の水圧転写装置は、前記被転写体が、その転写部位が開口近傍である箱形状を有しており、前記付着部材が、前記被転写体の転写部位よりも水面から離間した位置の内側に設けられていることが好ましい。
この発明によれば、例えば浴槽などの箱形状を有する被転写体の開口部近傍のみに転写層を転写して被転写体の開口部中央に対応する転写フィルムが分断されて水槽内に存在する場合であっても、被転写体の内側に設けた付着部材で被転写体の開口部中央に対応して分断された転写フィルムを回収できる。
【実施例】
【００１５】
以下、本発明にかかる水圧転写方法及び水圧転写装置の一実施例を図１から図７を用いて説明する。ここで、図１は水圧転写装置の概略構成図、図２は転写フィルムの縦断面図、図３は水槽の斜視図、図４は水槽上に浴槽を保持する昇降ユニットを示す斜視図、図５は浴槽外及び浴槽内転写滓付着ユニットが設けられた浴槽を示す平面図及び裏面図、図６から図９は水圧転写工程を示す図である。
【００１６】
本実施例による水圧転写装置１は、図１に示すように、内部に水を貯留した水槽２と、水槽２の上流側端部に設けられていて転写フィルム３を繰り出す繰り出し機構４と、水槽２の上方に位置して被転写体（物品）として例えば浴槽５を保持して水槽２の水面下に降下及び上昇させる昇降手段６とを備えている。なお、本明細書において、水槽２の上流側と下流側とは転写フィルム３を繰り出す方向または後述するように浮遊する転写滓や残滓を押し流す方向の位置関係をいうものとする。
【００１７】
水槽２は、例えばほぼ直方体形状とされ、内部には例えば３０℃前後の水が貯留されている。水槽２の水面には繰り出し機構４から繰り出された転写フィルム３が浮かべられている。
また、水槽２の下流側端部（以下、下流端という）２ａのさらに下流側には副槽７が設けられており、水槽２の下流端２ａから溢れた水や転写滓などを収容する。転写滓は、後述するように、転写後に残るインキ皮膜３ｂの滓である。
【００１８】
転写フィルム３は、図２に示すように、水溶性または水膨潤性の樹脂、例えばＰＶＡ（ポリビニルアルコール）からなる支持体フィルム（以下、単にフィルムという）３ａの上に有機溶剤に溶解可能な疎水性物質からなる転写層としてインキ皮膜３ｂが設けられている。インキ皮膜３ｂには、例えば大理石の模様が印刷されている。そして、フィルム３ａとインキ皮膜３ｂとの間には、活性エネルギー線照射あるいは加熱の少なくともいずれかによって硬化可能な硬化性樹脂層、例えば活性エネルギー性硬化性樹脂層３ｃが介在している。なお、転写フィルム３は、活性エネルギー性硬化性樹脂層３ｃが含まれていなくてもよい。
【００１９】
繰り出し機構４は、図１及び図３に示すように、水槽２の上流側端部（以下、上流端という）２ｂに帯状に連続する転写フィルム３が巻回された繰り出しロール１１を備えている。また、水槽２の両側部に直交し、かつ両側部に沿って上流端２ｂからこれと対向する下流端２ａとの間を往復動する走行架台１２Ａ上に転写フィルム３の先端を把持して繰り出しロール１１から水槽２上に繰り出すグリッパ１２が設けられている。このグリッパ１２は、走行架台１２Ａに水槽２の幅方向にわたって所定の間隔で４箇所に設けられており、往工程で転写フィルム３を下流側に繰り出し、転写フィルム３を離して転写フィルム３に活性剤を噴霧する前に復工程で繰り出しロール１１近傍まで戻ることになる。なお、転写フィルム３を浴槽５に転写した後に復工程で繰り出しロール１１近傍まで戻るように構成してもよい。
【００２０】
また、繰り出しロール１１のキャタピラ状の移送テーブル１３が設けられている。移送テーブル１３は、水槽２の両側部に設けられたチェーンガイド１４に沿って移動可能であり、グリッパ１２による転写フィルム３の引き出しに連動して水槽２内の水面上に進出して、移送テーブル１３上面で転写フィルム３を支える。これによって、移送テーブル１３は転写フィルム３の繰り出し時に転写フィルム３が水に浸ることを防止する。
移送テーブル１３は、往工程の途中で停止し、グリッパ１２で引き出された転写フィルム３は所定長さごとに図示しないカッタで切断され、ほぼ矩形状のシートとなる。
【００２１】
また、走行架台１２Ａ上の水槽２の幅方向ほぼ中央には、繰り出された転写フィルム３の先端部を水面に押しつけるための押し棒１５が設けられていて、上下動または旋回運動によって転写フィルム３に空気が巻き込まないように水を浸すことができる。
また、図１では省略されているが、図３に示すように、水槽２の上流端には、ほぼ門型の支持部１６が設けられ、その両端は水槽２の両側部に摺動可能に取り付けられている。支持部１６内には、水平方向に支持棒１７が架けられており、支持棒１７には所定間隔で複数（図３では６本）の噴霧ノズル１８が取り付けられている。各噴霧ノズル１８は、水面に載置された転写フィルム３のインキ皮膜３ｂ上にトルエンやキシレンなどの有機溶剤を活性剤として噴霧して、インキ皮膜３ｂを活性化処理して粘性、接着性を付与することになる。
【００２２】
昇降手段６は、図１（ａ）及び図４に示すように、図示しないフレームまたは天井に固定された吊り下げ部２１と、吊り下げ部２１に例えばチェーン及びギアまたはラック及びピニオンなどにより上下動可能に連結された昇降ユニット２２とを備えている。
昇降ユニット２２には、二対のアーム部２３ａ、２３ａ、２３ｂ、２３ｂが対向して取り付けられている。各アーム部２３ａ、２３ａ、２３ｂ、２３ｂには、それぞれ保持部としてバキュームパッド２４が取り付けられており、浴槽５の対向する２つの側面を吸着保持するように構成されている。
【００２３】
また、昇降手段６において、それぞれ対向する一方のアーム部２３ａ、２３ａと他方のアーム部２３ｂ、２３ｂとは個別に昇降ユニット２２に対する取り付け位置を上下方向に調整可能に支持されている。取り付け位置の調整手段として、例えば昇降ユニット２２とアーム部２３ａ、２３ａまたはアーム部２３ｂ、２３ｂとの連結部の一方にボトル部を、他方にナット部を設けて螺合状態で連結させ、図示しないモータでボトル部を回転させて高さ調整をすればよい。昇降ユニット２２とアーム部２３ａ、２３ａまたはアーム部２３ｂ、２３ｂとの連結部の一方を他方に対して高さの異なる位置に移動調整することによって、浴槽５を水面に対して適宜角度の傾斜状態に保持できる。
図４及び図８に示すように、浴槽５を水面に載置された転写フィルム３に押しつける投入時及び引き上げ時に、浴槽５は開口の耳部５ａに接する仮想の平面Ｌに水面及び転写フィルム３に対して角度θとなるように傾斜した状態で投入及び引き上げを行うようにしている。ここで、傾斜角θは、水面及び転写フィルム３に垂直な平面内の角度である。
【００２４】
ここで、浴槽５は、例えばほぼ四角錐台形状または縦断面視略台形状を呈しており、四周の側面は、底面から開口に向けて漸次外側に傾斜して形成され、開口では全周にわたって外側にほぼＬ字状に折り曲げられまたは湾曲させられた耳部５ａを形成している。そして、本実施例では、浴槽５の耳部５ａと開口の内面上部５ｂとの断面視ほぼコ字形状部分にインキ皮膜３ｂを転写させるようにしている。
【００２５】
また、昇降ユニット２２には、一対の支持体２５が対向して取り付けられている。各支持体２５には、昇降エアシリンダ２６が２本ずつ取り付けられており、昇降エアシリンダ２６の先端には浴槽５と共にこのエアシリンダ２６によって下降して水没して、転写滓や残滓などを付着する浴槽外転写滓付着ユニット２７が脱着可能に取り付けられている。
昇降エアシリンダ２６の先端には、例えばアリ溝やフックなどによって構成されて浴槽外転写滓付着ユニット２７と着脱可能に係合する係合部２６ａが設けられている。
【００２６】
浴槽外転写滓付着ユニット２７は、図５（ａ）に示すように、平面視ほぼ矩形状であって、転写滓などを付着させる付着シート３１と、付着シート３１を交換可能に格納する付着シート収納枠３２とによって構成されている。
付着シート３１は、例えば１インチ当たりのメッシュ数が２５以上１００以下であるメッシュによって形成されており、転写滓などを確実に付着させると共に浴槽５を転写フィルム３に押しつける投入時及び引き上げ時における水槽２内での水の抵抗を小さくして水面の波立ちが小さくなるように構成されている。
付着シート収納枠３２は、上枠体３３と下枠体３４とによって構成されており、これら上枠体３３と下枠体３４とが適宜係合することによって内部に付着シート３１を挟持するように構成されている。これら上下枠体３３、３４は、それぞれ内枠部３５、３６と外枠部３７、３８と内枠部３５、３６及び外枠部３７、３８を接続する骨部３９、４０とを備えている。内枠部３５、３６の内周は、インキ皮膜３ｂの転写部位である内面上部５ｂの浴槽５の底面側における浴槽５の外周よりも大きくなるように形成されており、外枠部３７、３８の外周は、耳部５ａにおける浴槽５の外周よりも大きくなるように形成されている。また、上枠体３３の上面には、例えばアリ溝やフックと係合する孔部などによって構成されて昇降エアシリンダ２６の係合部２６ａと着脱可能に係合する係合部４１が４箇所に設けられている。
【００２７】
さらに、図５（ｂ）に示すように、浴槽５のインキ皮膜３ｂの転写部位である内面上部５ｂの底面側における内周面には、浴槽５と共に水没して転写滓や残滓などを付着する浴槽内転写滓付着ユニット４５が取り付けられている。
浴槽内転写滓付着ユニット４５は、平面視ほぼ矩形状を有しており、浴槽外転写滓付着ユニット２７と同様に、付着シート４６と付着シート収納枠４７とによって構成されている。
【００２８】
付着シート４６は、上述した付着シート３１と同様に、例えば１インチ当たりのメッシュ数が２５以上１００以下であるメッシュによって形成されている。
付着シート収納枠４７の周囲には、伸張治具４８が６箇所に設けられている。この伸張治具４８は、内部にバネなどの弾性部材が設けられており、付着シート収納枠４７の内部に向かって収縮可能に構成されている。ここで、浴槽内転写滓付着ユニット４５は、各伸張治具４８に対してこれらを収縮させる外部からの力が付加されていないとき、各伸張治具４８の先端によって囲まれる部位が、浴槽５のインキ皮膜３ｂの転写部位である内面上部５ｂの底面側における内周面よりも大きくなるように構成されている。そして、各伸張治具４８に対して外部からこれらを収縮させた状態で、浴槽内転写滓付着ユニット４５を浴槽５の内面上部５ｂの底面側における内周面に位置させ、伸張治具４８に対して付加した力を除くことで、各伸張治具４８の先端が浴槽５を内面から外面に向かって押圧する。これにより、浴槽内転写滓付着ユニット４５が浴槽５の内面上部５ｂの底面側における内周側に安定して配置されることとなる。
【００２９】
なお、水槽２には、浴槽５にインキ皮膜３ｂを転写した後のインキ皮膜３ｂの残り屑である転写滓と、フィルム３ａの水に溶け残ったフィルム滓と活性エネルギー性硬化性樹脂層３ｃの滓とを含む残滓が浴槽外及び浴槽内転写滓付着ユニット２７、４５に付着されずに水面または水中に残った場合に、これらの滓を下流側に押し流して水槽２から副槽７に落下させる仕切り板５１が設けられている（図９参照）。
【００３０】
次に、上述の構成を有する水圧転写装置１を用いた水圧転写方法について、図６から図８を用いて説明する。
まず、転写フィルム３のインキ皮膜３ｂを浴槽５に転写させる耳部５ａおよび内面上部５ｂを除いて、浴槽５の内部をマスキングテープでマスクする（図１参照）。
そして、付着シート収納枠３２にあらかじめ付着シート３１を格納した浴槽外転写滓付着ユニット２７を、昇降ユニット２２及び昇降エアシリンダ２６を適宜動作させることで昇降エアシリンダ２６の先端に設けられた係合部２６ａと浴槽外転写滓付着ユニット２７の上面に設けられた係合部４１とを係合させる（図６（ａ）参照）。
次に、内周面に浴槽内転写滓付着ユニット４５を設けた浴槽５を、昇降手段６の４つのアーム部２３ａ、２３ａ、２３ｂ、２３ｂの各バキュームパッド２４で上下反転状態で保持すると共に、昇降エアシリンダ２６を動作させることによって浴槽外転写滓付着ユニット２７と浴槽５との相対的な高さを調整する（図６（ｂ）参照）。
【００３１】
そして、水槽２の上流端２ｂに設けた繰り出し機構４において、移送テーブル１３を水槽２上に水平に繰り出し、これと同時に移送テーブル１３の上側ではグリッパ１２によって繰り出しロール１１に巻回された転写フィルム３を繰り出す。そのため、移送テーブル１３によってグリッパ１２及び繰り出される転写フィルム３が水槽２の水面に非接触に載置されながら連動して水槽２の水面上に繰り出され、下流側に進行する（図６（ｃ）参照）。
【００３２】
次いで、水槽２の水面上に転写フィルム３が所定長さだけ繰り出されると、上流端２ｂ側で送りローラと移送テーブル１３とで挟持された部分の転写フィルム３を図示しないカッタによって切断する。この状態で水槽２内の転写フィルムは、移送テーブル１３に載置されており、グリッパ１２より若干上流側の位置に押し棒１５が位置している。そして、押し棒１５でグリッパ１２の近傍の先端側部分の転写フィルム３を押動しながら、移送テーブル１３を若干後退させる。すると、押し棒１５で押された転写フィルム３の先端部の中央は、水面に押しつけられる（図６（ｄ）参照）。
【００３３】
そして、移送テーブル１３を順次上流側に後退させていくと、先端部が水面に浸された転写フィルム３は、順次降下して水面に接触していく（図７（ａ）参照）。このとき、転写フィルム３は、押し棒１５で押されて水面に接触する先端部中央から順次水面の上流側に向けて水面への接触面積が増大していく。そして、グリッパ１２を転写フィルム３から離すと、転写フィルム３は、水面との間にエアを巻き込むことなく水面と同一平面状に載置された状態となる。そして、グリッパ１２及び押し棒１５を上流側に後退させる。
【００３４】
転写フィルム３は、上側にインキ皮膜３ｂが、下側にＰＶＡなどのフィルム３ａが位置している。転写フィルム３にしわが残っている場合には、手でつつくなどすることでこのしわを延ばす。また、フィルム３ａは、水に接触することで徐々に水に溶け始める。次に、支持部１６を水槽２の両側部に沿って上流側から下流側に移動させながら、噴霧ノズル１８で活性剤を転写フィルム３のインキ皮膜３ｂの全面に噴霧する（図７（ｂ）参照）。ここで、図３に示す走行架台１２Ａを上流側に後退させておくことで、グリッパ１２及び押し棒１５が走行架台１２Ａで保護され、活性剤がグリッパ１２及び押し棒１５に付着することを防止する。
【００３５】
そして、昇降手段６によって浴槽５を、水槽２内の転写フィルム３の上方に位置させる（図７（ｃ）参照）。この状態から、浴槽５の上流側部分を把持するアーム部アーム部２３ａ、２３ａを、下流部分を把持するアーム部２３ｂ、２３ｂに対して相対的に降下させ、開口を含む仮想平面Ｌが水面及び転写フィルム３に対して傾斜角θをなすように傾斜させる（図８（ａ）参照）。
この状態で昇降ユニット２２を水面にほぼ直交するする方向に降下させる。水面上、役２０〜４０ｍｍ程度までは高速で降下させ、その後は微速（例えば５〜３０ｍｍ／分）で降下させて入水させる。すると、図８（ａ）に示すように浴槽５の耳部５ａ部分が転写フィルム３に押しつけられ、インキ皮膜３ｂを転写させながら水面下に浸入する。このとき、転写フィルム３のＰＶＡからなるフィルム３ａは水に溶け出しており、溶け残った一部がインキ皮膜３ｂと共に浴槽５に被着する。また、インキ皮膜３ｂは浴槽５への転写部分の外側及び内側領域が分断され、浴槽５と共に水没する浴槽外及び浴槽内転写滓付着ユニット２７、４５の付着シート３１、４６に付着する。ここで、インキ皮膜３ｂが活性化されているので、付着シート３１、４６は、確実に付着させることができる。また、浴槽外及び浴槽内転写滓付着ユニット２７、４５に付着されなかったインキ皮膜３ｂは、マスクに転写されたり、水面に浮遊するか沈降したりする（図８（ｂ）、（ｃ）参照）。
【００３６】
浴槽５の耳部５ａと内面上部５ｂへのインキ皮膜３ｂの転写が終了したら、今度は浴槽５の上流側部分を把持するアーム部２３ａ、２３ａをアーム部２３ｂ、２３ｂに対して相対的に上昇させて、開口を含む仮想平面を水面に対して上述と同様に角度θだけ傾斜させる。この状態で、昇降ユニット２２を上昇させると、浴槽５は、上流側部分から順次引き上げられる。その後、仕切り板５１を水槽２の上流側から下流側に移動させることで、水面や水面下に浮遊する転写滓や残滓などを下流側に押しやり、水槽２から副槽７内に水と共に落下させる（図９参照）。
昇降ユニット２２によって引き上げられた浴槽５を次工程に搬送し、洗浄工程でフィルム３ａの滓などを除去し、乾燥させ、トップコーティングして光沢させる。また、浴槽外及び浴槽内転写滓付着ユニット２７、４５を取り外し、転写滓などが付着した内部の付着シート３１、４６を廃棄し、新たに付着シート３１、４６を付着シート収納枠３２、４７内に配置する。
そして、次の浴槽５について同様の工程を繰り返して、インキ皮膜３ｂを転写させる。
【００３７】
このように構成された水圧転写装置１及び水圧転写方法によれば、浴槽５を転写フィルム３に押しつけた後に浴槽外及び浴槽内転写滓付着ユニット２７、４５を水没させることで、浴槽５へ転写されなかった非転写領域のインキ皮膜３ｂを浴槽外及び浴槽内転写滓付着ユニット２７、４５の付着シート３１、４６に付着させる。これにより、浴槽５へ転写される転写領域と比較して非転写領域が大きく、転写滓や残滓などが多量に発生する場合であっても容易にこれらを回収できるので、水槽２内の水質劣化や浴槽５への転写欠陥を抑制することができる。
また、浴槽５の内周面に浴槽内転写滓付着ユニット４５を設けることで、浴槽５の開口部近傍である耳部５ａ及び開口の内面上部５ｂのみにインキ皮膜３ｂを転写する場合であっても、浴槽５の開口部中央に対応するインキ皮膜３ｂを付着させて回収することができる。
【００３８】
なお、本発明は上記実施例に限定されるものではなく、本発明の趣旨を逸脱しない範囲において種々の変更を加えることが可能である。
例えば、上記実施例では、被転写体として浴槽を用いたが、本発明の被転写体はこのような物品に限定されることなく、冷蔵庫や洗濯機、エアコンなどの各種大型家庭用電化製品の扉や本体、自動車のドアやボンネットなど、各種の大型物品に適用できる。さらに、携帯電話機の筐体などのような小型物品にも適用できる。
また、上記実施例では、昇降エアシリンダが槽外転写滓付着ユニットを水面に対して垂直な方向に昇降するように構成されているが、浴槽を保持するアーム部と同様に、浴槽外転写滓付着ユニットを水面に対して傾斜することができるような構成であってもよい。ここで、浴槽を水面に対して適宜角度の傾斜状態で投入及び引き上げているが、浴槽外転写滓付着ユニットも浴槽と同様の適宜角度の傾斜状態で投入及び引き上げを行ってもよい。
浴槽外転写滓付着ユニットが水槽の上流側と下流側とで同一形状を有しているが、このように浴槽外転写滓付着ユニットを浴槽と共に適宜角度の傾斜状態で投入及び引き上げを行う場合において、浴槽の水面への投入順である上流側を下流側に対して大きくなるような形状であってもよい。さらに、浴槽外転写滓付着ユニットは平面状であるが、上流側を浴槽の外壁に沿うように傾斜させた形状であってもよい。
そして、上記実施例では、浴槽外及び浴槽内転写滓付着ユニットの付着シートとしてメッシュを用いたが、浴槽に転写されなかったインキ皮膜を良好に付着させることができるものであればよく、金網やパンチプレートであってもよい。また、紙や不織布を用いることもできる。ここで、付着シートに転写滓や残滓などを付着させた後でこれを洗浄除去することで再使用するようにしてもよい。さらに、付着シートとして紙を用いるときのように水槽での水の抵抗が大きくなる場合には、水流の発生を抑制するために、浴槽外転写滓付着ユニットが、昇降エアシリンダによって浴槽の水面への投入後に水槽内に水没させるような構成としてもよい。
【図面の簡単な説明】
【００３９】
【図１】本発明の一実施例における水圧転写装置の概略構成図である。
【図２】図１の転写フィルムの縦断面図である。
【図３】図１の水槽の斜視図である。
【図４】図１の水槽上に浴槽を保持する昇降ユニットを示す斜視図である。
【図５】図１の浴槽を示すもので、（ａ）は浴槽及び浴槽外転写滓付着ユニットの平面図、（ｂ）は浴槽及び浴槽内転写滓付着ユニットの裏面図である。
【図６】本発明の水圧転写装置による水圧転写工程を示す図である。
【図７】図６に続く、本発明の水圧転写方法による水圧転写工程を示す図である。
【図８】図７に続く、本発明の水圧転写方法による水圧転写工程を示す図である。
【図９】図８に続く、本発明の水圧転写方法による水圧転写工程を示す図である。
【符号の説明】
【００４０】
１  水圧転写装置
２  水槽
３  転写フィルム
３ａ  フィルム（支持体フィルム）
３ｂ  インキ皮膜（転写層）
５  浴槽（被転写体）
２７  浴槽外転写滓付着ユニット（付着部材）
４５  浴槽内転写滓付着ユニット（付着部材）
【図１】
2006123462.tif 000003
【図２】
2006123462.tif 000004
【図３】
2006123462.tif 000005
【図４】
2006123462.tif 000006
【図５】
2006123462.tif 000007
【図６】
2006123462.tif 000008
【図７】
2006123462.tif 000009
【図８】
2006123462.tif 000010
【図９】
2006123462.tif 000011